(57)【要約】      （修正有）【課題】自転車やヒトの身体等に装着し、傘の手元の左右方向への移動、また、傘の中棒の方向や傾斜角度を自在に操作し得る傘保持装置を提供する。【解決手段】自転車や、ヒトの身体等の被着部Ａに、その被着部を軸として水平方向に回転し、且つ、任意の位置に固定出来る取着具Ｂを装着する。取着具から、水平方向に延出している水平部材の先端に、傘手元把持具Ｅを固定し、傘手元Ｈの左右方向への回転移動を可能にする。又、取着具と傘手元把持具との間の、水平部分を、回転傾斜機能を具備した構造とし、傘中棒Ｆの方向や傾斜角度を自在に操作することが出来構造とする。【選択図】図１
2013032138.tif 000002
【特許請求の範囲】
【請求項１】
自転車やヒトの身体等の鉛直方向の被着部を軸として、この被着部に水平方向に回転し、且つ、任意の位置に固定出来る取着具を取着し、前記取着具から水平方向に、腕状に延出している水平部材の、取着具と反対側の端部に、傘を保持する傘手元把持具を固定している構造により、傘手元の位置を、被着部を軸として、左右に略半円状に回転移動し、且つ、任意の位置に固定出来ることを特徴とする傘の保持装置。                      
【請求項２】
前記被着部を、ヒトの身体に固定するため、身体の胴体部を取り巻く固定バンドを設け、その固定バンドと身体の前面部との間に、被着部固定基板を挟み込んで固定バンドに固定し、前記被着部固定基板の前面に、円柱状の被着部を鉛直方向に固定していることを特徴とする請求項１に記載の傘の保持装置。                                        
【請求項３】
前記水平部材と、前記傘手元把持具との間に、傘手元把持具が、水平部材の延出方向に鉛直面内で回転し、且つ、任意の位置で固定出来るヒンジが固定されていることを特徴とする請求項１に記載の傘の保持装置。                                              
【請求項４】
前記取着具から延出している水平部材を、円形の延出管とし、この延出管を軸として、回転し、且つ、任意の位置に固定出来る回転管を、前記延出管の外側に嵌め込み、又は内側に挿入して、前記回転管の、取着具の反対側に、前記傘手元把持具を固定して、傘手元把持具が、前記延出管の、延出方向の、略直角方向に回転し、且つ、任意の位置に固定出来ることを特徴とする請求項１に記載の傘の保持装置。                              
【請求項５】
前記取着具から延出している、前記延出管を軸として回転し、且つ、任意の位置に固定出来る前記回転管の、前記取着具の反対側に、前記ヒンジを固定し、ヒンジの、取着具と回転管の反対側に、前記傘手元把持具を固定している構造を特徴とする請求項１、請求項３、請求項４のいずれかに記載の傘の保持装置。                                    
【請求項６】
前記取着具から延出している、前記水平部材の、前記取着具の反対側の端部に、前記水平部材の、上方の全方向に回転傾斜可能なユニバーサルジョイントの、可動部を支承して保持する固定部を固定し、可動部を、可動し、且つ、任意の位置で固定できる構造として、可動部に前記、傘手元把持具を固定していることを特徴とする請求項１記載の傘の保持装置。
【発明の詳細な説明】
【技術分野】
【０００１】
この発明は、自転車や、ヒトの身体等に装着して、傘を保持する装置に関する。      
【背景技術】
【０００２】
ヒトは、降雨や日射から身体を保護する為、歩行時は、雨傘や日傘を、雨や日射の方向へ、開かれた傘をむけて、身体になるべく有効となるように、傘を操作して対応する。しかし、自転車に乗る時は、片手運転にならざるを得ず、非常に危険であるし、また、歩行時においても、荷物を持っている時や被保護者同伴である時など、傘の保持が大きな負担となる。                                                                        
【０００３】
そこで、自転車、あるいはヒトの身体に装着する傘の保持具が、種々提案されている。自転車に装着する保持具としては、たとえばハンドルポストの前方に固定具を固定し、垂直主管を設け、上下摺動する管の先端に、傘中棒を前後に可動としているもの(特許文献１参照）やハンドルに取付け部材と傘保持部材を連結して、傘を上下、前後に変えられる機能を有するもの（特許文献２参照）や車体のパイプフレームに、垂直に伸縮自在のパイプの先端に、傘把持部を設置したもの（特許文献３参照）などがある。                
【０００４】
また、ハンドルに二股の取り付具で垂直支柱を保持し、支柱の先端にクランプを取付けたもの（特許文献４参照）などがある。                                            
【０００５】
また、自転車のヘッドパイプに取付けた接続片に、垂直に支柱を固定し、その上に、回転リンクや、傾斜リンクを設置して、傘を自在の方向に保持することが出来るとしているもの（特許文献５参照）や、ハンドル上に、基台を取付けその基台に、上下に移動可能な支柱を取付け、支柱の上部に回転可能な掴持部を備えた保持具（特許文献６参照）などである。                                                                          
【０００６】
また、ヒトの身体に装着する傘の保持具としては、たとえば、幅広の胴当板に傘保持具を固定し、傘の保持高さの調整具を備えているもの（特許文献７）や肩当てとベルトで身体に傘を保持させたもの（特許文献８、特許文献９、特許文献１０参照）や、ベストのポケットに傘柄を入れ、頭のバンドで傘を保持するもの（特許文献１１参照）や、胴部バンドと頭部固定バンドで傘を背中に保持するもの（特許文献１２参照）や、縦長の柱状固定具を胴巻バンドと肩掛バンドで固定し、傘を保持するもの（特許文献１３、特許文献１４参照）や、胸及び胴部の２段ベルトで傘主軸を保持して、前後に傾斜可能としたもの（特許文献１５参照）や、傘主軸が二股になって伸縮可能な傘を、ベルトで身体に固定するもの（特許文献１６参照）などがある。                                              
【先行技術文献】
【特許文献】
【０００７】
【特許文献１】実開平３−３７０８７
【特許文献２】実開平２−１５５８９
【特許文献３】特開２０００−１６６６２８
【特許文献４】実開平７−２８７９２
【特許文献５】特開２００６−２７５８３
【特許文献６】特開２００４−３５８０７０
【特許文献７】特開２００７−２０２８６４
【特許文献８】特開昭６１−５６６０１
【特許文献９】特開平２−１６４３０６
【特許文献１０】特開昭６１−７３６０４
【特許文献１１】実開昭６４−１０２１２
【特許文献１２】実開平２−１３６５１８
【特許文献１３】特開２００４−１６７９３
【特許文献１４】特開２０００−０４１８２４
【特許文献１５】実開昭５４−１３２４７５
【特許文献１６】特開２０００−１３９５３３
【発明の概要】
【発明が解決しようとする課題】
【０００８】
しかしながら、先願の傘の保持具では、さまざまな工夫はされているものの、その目的が十分には果たされていないと言わざるを得ない。自転車に装着する傘の保持具については、特許文献１の保持具は、傘が自転車に乗るヒトから離れ過ぎ、特許文献２、及び特許文献３の保持具は、降雨や日射に対する方向性への対応が不十分であり、特許文献４の保持具は、関西を中心にある程度普及しているものの、保持具がハンドル上に立っていて傘手元の位置が移動出来ず、方向性への対応も不十分である。また、特許文献５の保持具は、構造複雑で、強度、剛性に課題があると思われる。また、特許文献６の保持具は、ハンドル上に基台が取付けられ、その上に回転可能な取付け具が設置されていて、重心が高く、操作も複雑で方向性への対応も不十分である。                                  
【０００９】
また、ヒトの身体に装着する傘の保持具についても、先願の保持具では、その大半のものが、傘手元の位置の移動や、傘中棒の前後左右の傾斜に対応し得るものがほとんど無い。僅かに、傘の高さの調整をし得るものが、特許文献７及び特許文献１６に記載され、傘の中棒を前後に傾斜させ得るものが、特許文献１５に記載されているだけで、他の保持具はその様な機能を具備しておらず、無理に対応しようとすれば、保持具そのものを身体にセットし直す必要があろうと思われる。                                          
【００１０】
本発明は先行技術の、自転車やヒトの身体等に取着する、傘の保持具に不十分な機能、すなわち傘手元の位置を左右に移動して、任意の位置に固定することが出来、また、傘中棒の方向や傾斜角度を、前後左右に変えて、降雨や日射に対して、傘が最も有効となるように、自在に操作し、任意の位置に固定することの出来る機能を持った、自転車やヒトの身体等に装着する傘の保持装置を、提供することを課題とする。                      
【課題を解決するための手段】
【００１１】
上記の課題を解決するための手段として、本発明の、手段１から手段６までの傘の保持装置の説明をするが、課題を解決するための手段１としては、傘の保持装置を、以下の様な構造とする。図５側面図、図６上面図に示すように、自転車やヒトの身体等の、鉛直方向の被着部Ａを軸として、この被着部Ａに、水平方向に回転し、且つ、任意の位置に固定出来る取着具Ｂを取着し、前記取着具Ｂから水平方向に、腕状に延出している水平部材Ｗの、取着具Bと反対側の端部に、傘を保持する傘手元把持具Ｅを固定している構造により、傘手元Ｈの位置を、被着部Ａを軸として、左右に略半円状に回転移動し、且つ、任意の位置に固定出来ることを特徴とする傘の保持装置とする。                          
【００１２】
(作用)                                                                          
以上の構造により、図１９の動作図に示すように必要に応じて、取着具Ｂの回転機能により、傘手元Ｈの位置を、手動によって、被着部Ａを軸として、略半円状に水平方向に回転移動させることにより自転車に装着の場合は、左右のハンドル握部内を、またヒトの身体に装着の場合は身体前面の、左端から右端までの間を回転移動し、任意の位置に、固定することが出来ることとなる。                                                    
【００１３】
次に手段２としては、図２、図３、図４、に示すように、前記被着部Aを、ヒトの身体に固定するため、身体の胴体部を取り巻く固定バンド１０１を設け、その固定バンド１０１と身体の前面部との間に、被着部固定基板１０２を挟み込んで固定バンド１０１に固定し、前記被着部固定基板１０２の前面に、円柱状の被着部Aを鉛直方向に固定していることを特徴とする手段１に記載の傘の保持装置とする。                            
【００１４】
(作用)                                                                          
以上の構造により、前記被着部Ａに前記取着具Ｂを取着することによって、傘と保持装置の自重と傘から加わる外力を身体に伝えて保持し、必要に応じ、前記傘手元Ｈの位置は、手動により、前記被着部Ａを軸として、身体前面の左端から右端までを、略半円状に水平方向に回転移動し、且つ、任意の位置に固定出来ることとなる。本発明の傘の保持装置は、傘から受ける荷重が、傘手元把持具Ｅから水平部材Ｗを経て、取着具Ｂから被着部Ａに伝わり、被着部固定基板１０２に伝達されるが、胴体部に、固定バンドによって固定された被着部固定基板１０２によって、広く身体の胴体部に荷重が分散され、安定して傘を保持することができる。                                                        
【００１５】
次に手段３としては、図７、の側面図、図８、の上面図と部材分解図に示すように、前記水平部材Ｗと、前記傘手元把持具Ｅとの間に、傘手元把持具Ｅが、水平部材Ｗの延出方向に鉛直面内で回転し、且つ、任意の位置で固定出来るヒンジＤが固定されていることを特徴とする手段１に記載の傘の保持装置とする。                                          
【００１６】
(作用)                                                                         
以上の構造により、傘手元把持具Ｅは、図１９の動作図に示すように、前記取着具Ｂの機能によって、被着部Ａを軸に、水平方向に半円状に回転移動し、且つ、任意の位置に固定する事が出来、また、図２０の動作図に示すように、前記ヒンジＤの機能によって、傘手元把持具Ｅは、手動によるヒンジＤの調整ハンドルの締緩により、水平部材Wの延出方向の鉛直面内で回転傾斜し、傘手元把持具Ｅに把持されている傘手元Ｈ及び傘中棒Ｆは、ヒンジＤの回転方向、矢印の方向に傾斜し、且つ、任意の位置で固定できることとなる。
【００１７】
次に手段４としては、図９、側面図、図１０上面図と部材分解図に示すように、前記、取着具Ｂから延出している前記水平部材を、円形の延出管とし、この延出菅１２を軸として、回転し、且つ、任意の位置に固定出来る回転管Ｃを、前記、延出管１２の外側に嵌め込み、又は、内側に挿入して、前記、回転管Ｃの、取着具Ｂの反対側に、前記、傘手元把持具Ｅを固定して、傘手元把持具Ｅが、前記、延出管１２の、延出方向の、略直角方向に回転し、且つ、任意の位置に固定出来ることを特徴とする手段１に記載の傘の保持装置とする。                                                                          
【００１８】
(作用)                                                                          
以上の構造により、傘手元把持具Ｅは、図１９、動作図に示すように、前記、取着具Ｂの機能により、手動によって、被着部Ａを軸として水平方向に略半円状に回転移動し、且つ、任意の位置で固定され、また、手動による回転管Ｃの調整ネジハンドルの締緩による回転管Ｃの機能によって、傘手元把持具Ｅ及び傘中棒Ｆは、図２１動作図に示すように、延出管の延出方向の略直角方向に回転傾斜し、且つ、任意の位置で固定出来ることとなる。                                                                          
【００１９】
次に手段５は、図１１の側面図と部材分解図、図１２の上面図と部材分解図に示すように、前記取着具Ｂから延出している、前記延出管１２を軸として回転し、且つ、任意の位置に固定出来る前記回転管Ｃの、前記取着具Ｂの反対側に、前記ヒンジＤを固定し、ヒンジＤの、取着具Ｂと回転管Ｃの反対側に、前記傘手元把持具Ｅを固定している構造を特徴とする、手段１、手段３、手段４に記載の傘の保持装置とする。                      
【００２０】
(作用)                                                              
以上の構造により、前記取着具Ｂの機能により、傘手元Hは、図１９作用図に示すように、手動によって、略半円状に回転させて任意の位置に移動して固定し、前記回転管Ｃと、前記ヒンジＤの略直角方向２方向の回転傾斜機能を、各々のクランプの調整ハンドルの締緩によって、図２０、図２１の動作を合わせ持った機能により、前記傘手元把持具Ｅ、及び傘中棒Ｆ、を前後左右に、自在に傾斜させ、任意の位置に固定して、全方向自在に傘を操作することが出来ることとなるものである。                                
【００２１】
次に手段６は、図１７の側面図、及び図１８の上面図に示すように、前記取着具Bから延出している、前記水平部材Wの、取着具Bの反対側の端部に、前記水平部材Wの、上方の全方向に回転傾斜可能なユニバーサルジョイントVの、可動部１１３を支承して保持する固定部１１１を固定し、可動部１１３を、可動し、且つ、任意の位置に固定できる構造として、可動部１１３に前記、傘手元把持具Eを固定していることを、特徴とする、手段１に記載の傘の保持装置とする。                                                    
【００２２】
(作用)                                                                          
以上の構造により、前記取着具Ｂの機能により、前記傘手元把持具Ｅを、手動によって、前記被着部Ａを軸として、図１９に示すように略半円状に回転させて任意の位置に移動させて固定し、ユニバーサルジョイントＶの機能により、手動による調整ハンドルの締緩によって、傘手元把持具Ｅに把持された傘手元Ｈ及び傘中棒Ｆは、上方の全方向に傾斜する事が出来、又、任意の位置に固定することができることとなる。                  
【発明の効果】
【００２３】
本発明の、手段１の発明は、傘の傾斜に対する機構は備えていないが、傘手元を被着部を軸として、水平方向に、左右に半円状に回転移動させることによって、風雨や日射の方向に傘手元を移動する事が出来、構造簡単で、製作費も安価で、風雨に強く頑丈であり、電動の車椅子等に装着するような大型の傘の保持に適している。                      
【００２４】
本発明の手段２の、ヒトの身体に、取り付けた被着部に、傘の保持装置を取着して傘を保持する事により、降雨や、強い日射の際でも、買い物や、荷物のある時、或いは被保護者同伴の際でも、両手が傘から開放され、安全で便利であり、ウオーキング等も両手が、解放されて歩行することが出来るので従来よりも快適であるし、健康にも寄与する。  また、本発明の傘の保持装置を身体に装着して傘を差して自転車に乗り、途中、自転車を置いて、降りてそのまま歩行して、そのまま再び自転車に乗ることも出来るので、非常に便利である。                                                                      
【００２５】
本発明の手段３の傘の保持装置の作用は、前述のとおりであるが、取着具とヒンジの、回転による傘手元把持具及び傘中棒の傾斜の方向は、水平部材の方向が自転車やヒトの進行方向と同一方向の時は、ヒンジの回転機能による傘中棒の回転方向はヒトからみて、前後に傾斜するが、水平部材が進行方向の左側、又は右側にむいている時は、傘はヒトからみて、左右に回転傾斜することとなるので、取着具とヒンジの機能を組合せることにより、傘の位置と方向及び傾斜角度を概ね、死角なく操作することができることとなる。  
【００２６】
本発明の、手段４の傘の保持装置の作用は、前述のとおりであるが、取着具とヒンジの、回転による傘手元把持具及び傘中棒の傾斜の方向は、水平部材の方向が自転車やヒトの進行方向と同一の時は、回転管の回転機能による傘中棒の回転方向はヒトからみて、左右に傾斜するが、水平部材が進行方向の左側、又は右側にむいている時は、傘はヒトからみて、前後に回転傾斜することとなるので、取着具とヒンジの機能を組合せることにより、傘の位置と方向及び傾斜角度を概ね、死角なく操作することができることとなる。  
【００２７】
本発明の、手段３、及び手段４の傘の保持装置は構造が簡素であり、操作が簡単で、自転車等に装着するよりも、傘を身体に接近させての利用頻度の高い、身体に装着する傘の保持に適している                                                                
【００２８】
手段５の傘の保持装置は、手段１の機構を基にして、手段３及び手段４の傘の保持装置の機構である、取着具、回転管、ヒンジ、傘手元保持具の機構をすべて具備しているので、あたかも、ヒトが手に傘手元を持って傘を操作するように、自在に傘手元の位置を変え傘中棒の方向及び傾斜角度を自由に操作し保持することが出来るので、すべての被着体の装着に適している。                                                            
【００２９】
また、手段４、及び手段５の保持装置の保持装置は、図２４、図２５に示すように、傘を自転車やベビーカー等に装着したまま、折り畳み、保持装置の回転機能を操作して、自転車やベビーカー等の側方に収納することが出来るので、買い物途中や、自転車駐車場でも、他者の迷惑になることも無く、安全で便利である。                              
【００３０】
手段６の傘の保持装置は、機能は手段５の傘の保持装置と同様であるが、傘の傾斜機構を、ユニバーサルジョイントに集約したので、操作の一元化により歩行中、走行中での操作が簡素化され、より便利な傘の保持装置とする事が出来る。                        
【００３１】
本発明の傘の保持装置を、図２３に示すように、ベビーカーや車椅子等に装着すると、従来の傘の保持具より降雨や日射に対し、傘方向の対応性に優れているので、幼児等の被保護者を、より快適に、保護することができる。                                    
【図面の簡単な説明】
【００３２】
【図１】本発明に係る傘の保持装置を自転車に装着した構成を示す側面図。
【図２】本発明に係る手段２の傘の保持装置をヒトの身体に装着した構成を示す側面図２−１、と正面図２−２と斜視図２−３
【図３】本発明のヒトの身体の被着部の構造を斜上方からの斜視図
【図４】本発明のヒトの身体の被着部の構造の上面図
【図５】本発明に係る手段１の傘の保持装置の側面図
【図６】本発明に係る手段１の傘の保持装置の上面図
【図７】本発明に係る手段３の傘の保持装置の側面図
【図８】本発明に係る手段３の傘の保持装置の上面図と部材分解図
【図９】本発明に係る手段４の傘の保持装置の側面図
【図１０】本発明に係る手段４の傘の保持装置の上面図と部材分解図
【図１１】本発明に係る手段５の傘の保持装置の側面図と部材分解図
【図１２】本発明に係る手段５の傘の保持装置の上面図と部材分解図
【図１３】図１２の傘手元把持具Ｅのｋ−ｋ’線の拡大断面図
【図１４】図１２のヒンジのｐ−ｐ’線の拡大断面図
【図１５】図１２の回転管のｍ−m’線の拡大断面図
【図１６】図１２の回転管の調整ハンドルのn−n’線の拡大断面図
【図１７】本発明に係る手段６の傘の保持装置の側面図
【図１８】図１７のｓ−ｓ’線の平面図
【図１９】本発明の傘の保持装置を自転車に装着した時の、取着具の回転機能による傘手元の移動を示すイメージ図と動作図
【図２０】本発明の傘の保持装置を自転車に、装着したときのヒンジの機能による傘中棒の傾斜を示すイメージ図と動作図
【図２１】本発明の傘の保持装置を自転車に装着した時の回転管の機能による傘中棒の傾斜を示すイメージ図と動作図
【図２２】本発明の傘の保持装置で傘を自転車に装着した状況図
【図２３】本発明の傘の保持装置で傘をベビーカーに装着した状況図
【図２４】本発明の傘の保持装置で傘を自転車の側方に収納した状況図
【図２５】本発明の傘の保持装置で傘をベビーカーの側方へ収納した状況図
【発明を実施するための形態】
【００３３】
以下、本発明の傘の保持装置を実施するための最良の形態を、図面を参照しながら説明する。本発明の、傘の保持装置を構成する各部材はステンレス、鋼、非鉄金属、又は合成樹脂等を材料とし、図１は、本発明に係る傘の保持装置を自転車に装着した構成を示す側面図、図２は、手段２の保持装置をヒトの身体に装着した構成を示す側面図と正面図と斜視図、図３は、ヒトの身体の被着部の構造の斜上方からの斜視図、図４は、身体の被着部の構造の上面図、図５は手段１の保持装置の側面図、図６は手段１の傘の保持装置の上面図、図７は、  手段３の傘の保持装置の側面図、図８は、手段３の傘の保持装置の上面図と部材分解図、  図９は、手段４の傘の保持装置の側面図、図１０は、手段４の傘の保持装置の上面図と部材分解図、図１１は、手段５の傘の保持装置の側面図と部材分解図、図１２は、手段５の傘の保持装置の上面図と部材分解図、図１３は、図１２の傘手元把持具Ｅのｋ−ｋ’線の拡大断面図、  図１４は、図１２のヒンジのｐ−ｐ’線の拡大断面図、図１５は、図１２の回転管のｍ−m’線の拡大断面図、図１６は、図１２の回転管の調整ハンドルのn−n’線の拡大断面図、図１７は、手段６の傘の保持装置の側面図、図１８は、図１７のｓ−ｓ’線の平面図、図１９は、本発明の傘の保持装置を自転車に装着した時の、取着具の回転機能による傘手元の移動を示すイメージ図と動作図、図２０は、本発明の傘の保持装置のヒンジの機能による傘中棒の傾斜を示すイメージ図と動作図、  図２１は、本発明の傘の保持装置を自転車に装着した時の回転管の機能による傘中棒の傾斜を示すイメージ図と動作図、図２２は、本発明の傘の保持装置で傘を自転車に装着した状況図、図２３は、本発明の傘の保持装置で傘をベビーカーに装着した状況図、図２４は  本発明の傘の保持装置で傘を自転車の側方に収納した状況図、図２５は、本発明の傘の保持装置で傘をベビーカーの側方へ収納した状況図である。                            
【００３４】
前記手段１の発明の傘の保持装置を実施するための最良の形態を、図５側面図、図６上面図を参照しながら説明する。取着具Bは、ステンレス、鋼、合成樹脂等を材料とし、被着部Aを外巻きにし、被着部Aの外径にほぼ等しく、しかも円滑に回転し得る内径の管を、縦二分割にした半割り管１及び２は、それぞれ一体として成型し、又は溶接などで固着したリブ３を半割り管１及び２の縦方向の端部にそれぞれ設けており、このリブ３に設けた子孔を通して、ボルト、ナット４で被着部Ａを軸とした、取着具Ｂの回転を妨げない程度に取付ける。なお、図示しないが、ボルト、ナットは座金、バネ座金をそれぞれ装着する。（図２、図３参照）                                                          
【００３５】
取着具Ｂの回転の解放と固定の手段として、取着具Ｂの下部に一対の歯車歯を備えているが、その構造を説明する。前記、被着部Ａに取着する二つの半割り管１及び２の取着具Bは、図５に示すようにリブ３をボルト、ナットで連結されて円筒状になるが、この円筒状取着具Ｂの下端には、半割り管１及び２とそれぞれ一体として成型し、又は、切込加工等で歯車歯２５を円周に亘り、下向きに設ける。                                    
【００３６】
次に、前記下向きの歯車歯２５と一対となって噛合い、取着具Bの回転を静止させて固定する上向きの歯車歯２６を備えた、固定歯取付け具の縦半割り管５及び６を、前述の半割り管１及び２を取着けた作業と同様にリブ３を、ボルト、ナットで連結し取着ける。ただし、この固定歯取着け具の半割り管５及び６は、被着部Aに対して、回転、滑動しないように固く締め付け、固定する。ヒトが取着具Ｂを回転させたい時は、取着具Ｂを手で持ち上げて噛合せを解放し、任意の位置まで回動させ、取着具Ｂを下ろせば、歯車歯が噛合い、取着具Ｂは固定されることとなる。                                            
【００３７】
取着具Ｂの回転と、静止固定の方法は、前述の歯車歯２５，２６の噛合の方法に限定せず被着部Ａと、取着具Ｂとの間に、薄層の合成樹脂等のパッキンを挟み込んで摩擦材とし、ヒトが回転させる為に、力を加えれば回動するが、風雨による傘からの外力では、回動しない程度にボルトとナットの締め付けを調整すれば、十分その役割を果たすことが、実験により実証している。これは、傘からの外力と自重及び保持具の自重も併せて傘手元保持具Ｅから水平部材Ｗを介して取着具Ｂに伝達されるので、取着具Ｂに伝わる捩れや、拗れなどにより、これ等の力が、取着具２に伝達され、パッキンを圧縮して回転力のブレーキとして働くためである。 
【００３８】
次に、図５、図６の、取着具Ｂの半割り管２の中程から、腕状に水平方向に延出している、水平部材Ｗと、水平部材Ｗの、取着具Ｂの反対側の端部に、鉛直方向に固定される傘手元把持具Ｅは、水平部材Ｗと一体として成型し、または溶接等で固定されていて、図６に示すように、水平部材Ｗには、傘手元把持具Ｅの、傘手元Ｈの着脱の為の締付調整ネジ４７の締緩を妨げないように、スリット５０を入れている。                          
【００３９】
傘手元把持具Ｅには、図１３に示すように傘手元Ｈの着脱と固定をするために、締付調整用のクランプブラケット３６，３７の小穴に、ハンドル４８を固定して締付調整ネジ４７を、図示しないが、座金、バネ座金を装着して、クランプブラケット３７に固着しているナット４９にねじ込み固定する。                                              
【００４０】
取着具Ｂと、傘手元把持具Ｅとの間隔は、自転車に装着する把持具の場合は、被着部Ａとなるハンドルポストから、ハンドル握部Ｇの内側迄とし、身体に装着する場合は、身体の胴体幅の略二分の一迄が望ましい。                                              
【００４１】
次に前記手段２の、ヒトの身体に、被着部を身体に固定バンドで固定し、傘の保持装置を装着する発明を実施する最良の形態を、図面を示しながら説明する。図２は身体の前面に固定バンドで被着部を固定している傘の保持装置の側面図２−１と、正面図２−２と、身体を透視した傘の保持装置の斜視図２−３、図３は被着部の構造の斜視図、図４は上面図である。                                                                      
【００４２】
図２のように、身体の胴体部に、丈夫な繊維で編まれた布製や、合成樹脂製のバンドに、長さ調整用バックル１０６と着脱用バックル１０５を備えた、固定バンド１０１で、身体の胴体部を取巻き、この固定バンド１０１と、身体前面部との間に、被着部Ａを固定する為の、被着部固定基板１０２を、挟み込み、固定バンド１０１と被着部固定基板１０２とを、多数の小径のボルト、ナットで固定し、又は、接着剤で接着する。        
【００４３】
被着部固定基板１０２の材料は、木材合板、合成樹脂、又は軽金属等の、剛性と柔軟性とを、合わせ持ち、固定バンド１０１で固定した時に、身体の曲面に倣うように、予め、身体に倣ったカーブを付けておくことが、望ましい。                                
【００４４】
次に、図３、図４に示すように、被着部固定基板１０２の、身体胴体部の前面部の、固定バンドを避けて、その上下２箇所に、円形の被着部Ａを、鉛直方向に取り付け、固定する為の、固定台１０３を接着剤等で仮止めし、固定台１０３の上に、円形の被着部Ａを鉛直方向に、取り付け具１０４と、固定台１０３、被着部固定基板１０２を貫通したボルト小穴を通し、固定ボルト、ナットで、図示しないが座金、バネ座金を装着して締付固定する。                                                                            
【００４５】
以上のような、身体に固定した被着部Ａに、本発明の、傘の保持装置の、取着具Ｂを取着して、図２に示すように、傘を保持する。                                        
【００４６】
次に前記手段３の傘の保持装置を実施するための、最良の形態を説明する。図７はその側面図、図８は、その上面図と部材分解図である。                                  
【００４７】
前述したように、手段３の傘の保持装置は、前記手段１の傘の保持装置の構造の、前記水平部材Ｗと、前記傘手元把持具Ｅとの間に、傘手元把持具Ｅが、水平部材Ｗの延出方向に鉛直面内で回転し、且つ、任意の位置で固定出来る様に、ヒンジＤが固定されている構造であるので、取着具Ｂの実施例は前記手段１の実施例と同様であるが、取着具Ｂの半割り管２から延出している水平部材Ｗの、先端のヒンジの雄部３０は、半割り管２と水平部材Ｗと、一体成型し、又は溶接等で固定し、ヒンジのシャフトを兼ね、ヒンジの締付調整ネジの通し穴となるヒンジ穴３１を設ける。                                        
【００４８】
次に、ヒンジＤの雌部(凹部)32・33、傘手元Ｈを支え持つ傘手元把持具Ｅの半割管34・35と、そのクランプブラケット36・37は、縦二分割に一体成型、又は溶接などで接合されている。そしてヒンジの雌部32・33には、締付調整ネジの通し穴38・39を、又、傘支持捕捉部Ｅのクランプ36・37には締付調整ネジの通し穴を設ける。                        
【００４９】
次に、これ等の組み立てであるが、ヒンジ雌部32・33にヒンジ雄部30を挿入し、その間にバネ座金又は合成樹脂パッキン42・43を挟み込む。そして、ヒンジＤのシャフト兼締め付け調整ネジ44に、締付ハンドル45を固定してヒンジ雌部32、バネ座金又は合成樹脂パッキン42、ヒンジの雄部30、バネ座金又は合成樹脂パッキン43、ヒンジＤの雌部33の順で貫通し、ヒンジの雌部33に固着したナット46に締め付ける。                            
【００５０】
次に前述した傘手元把持具Ｅのクランプブラケット36・37の通し穴40・41に、締付調整ネジ47に締付ハンドル48を固定して、図示しないが座金・バネ座金を装着して、クランプブラケット37に固着したナット49に締め付ける                                    
【００５１】
ヒンジＤと傘手元把持具Ｅの接合形態は、図に示した形態に限定せず、水平部材Ｗの先端の、ヒンジＤのヒンジの雄部３０に、ヒンジの雌部３２，３３を、鉛直方向、上方に向けて接合し、その上方に、傘手元把持具Ｅの底部を、固定する方法でも良い。          
【００５２】
次に、前記手段４の傘の保持装置を実施するための、最良の形態を説明する。図９は手段４の構造の側面図、図１０はその上面図と部材分解図である。                      
【００５３】
前述したように、手段４の傘の保持装置は、図９、側面図、図１０上面図と部材分解図に示すように、前記、取着具Ｂから延出している前記水平部材を、円形の延出管とし、この延出菅１２を軸として、回転し、且つ、任意の位置で固定出来る回転管Ｃを、前記、延出管１２の外側に嵌めこみ、又は、内側に挿入して、前記回転管Ｃの、前記取着具Ｂの反対側に、前記傘手元把持具Ｅを固定して、傘手元把持具Ｅが、前記延出管１２の、延出方向の略直角方向に回転し、且つ、任意の位置で固定出来ることを特徴とする傘の保持具であるが、回転管Ｃを延出管１２の、外側に嵌め込むか、又は内側に挿入するかは、何れの方法でも実施可能であるが、本説明の実施の形態は、回転管Cを延出管１２の外側に嵌め込む場合を説明する。取着具Ｂの実施例は前記手段１の実施例と同様であるが、前記取着具Ｂの半割り管２から延出している延出管１２は、前記回転管Ｃの抜け止め溝１３と共に、半割り管２と一体成型する。回転管と、傘手元把持具とは一体成型するのが望ましいが、一体成型の難しいスリットや、ブラケット、ボルト穴、ネジ穴等は、穿孔、溶接、切断、ネジ切等で加工してもよい。                                                  
【００５４】
その組み立てであるが、前記取着具から延出している延出管１２に、この延出管１２を軸として、その外側に、回転し、且つ固定できる回転管Cを嵌め込む。この、延出管12の外側に嵌め込む回転管Cは、延出管12の外径にほぼ等しい内径の、しかも円滑に回転出来うる内径の管であり、延出管12に嵌め込み、延出管12の抜け止め溝13の位置に相当する回転管Ｃの管周の少なくとも２ヶ所に雌ネジ穴14・15を設け、この雌ネジ穴14・15にネジ先端が内側の延出管12の抜け止め溝13の形状に適合した先端形状の抜け止めネジ16・17を図示しないが、座金・バネ座金を装着して、延出管12の抜け止め溝13に回転管Ｃの回転に支障のない強さで捻じ込む。但し、回転管Ｃの抜け止め防止の方法は、上記の方法に限定せず、例えば、延出管１２と回転管Ｃに、ネジ切を施し、このネジの接合により、抜け止めする等、他の方法でも良い。                                                      
【００５５】
次に、前記回転管Ｃの上面側に、取着具Ｂ側から回転管Ｃの管長の略2分の１の延長にわたり、スリット18を入れ、そのスリット18の両側に一体成型し、又は溶接等で固定されたクランプブラケット19・20に小孔を設け、この小孔を通して回転ハンドル22を固定した調整ネジ21を、図示しないが、座金・バネ座金を装着してナット23に締め付ける。この回転管Ｃの調整ネジ21のナット23は、クランプブラケット20から離脱・回動しないように、クランプブラケット20に固着しておく。                                            
【００５６】
次に傘手元把持具Ｅと一体成型し、又は溶接等で固定されたクランプブラケット36・37の通し穴40・41に、締付調整ネジ47に締付ハンドル48を固定して、図示しないが座金・バネ座金を装着して、クランプブラケット37に固着したナット49に締め付ける。          
【００５７】
次に前記手段５の傘の保持装置を実施するための最良の形態を説明する。手段５の傘の保持装置は図１１の側面図と部材分解図、図１２の上面図と部材分解図に示すように、手段３の傘の保持装置の機構の前記ヒンジを、先に説明した手段４の傘の保持装置の機構の、前記、回転管Ｃと、前記、傘手元把持具Ｅとの間に固定した構造である。従って手段５の、取着具Ｂ及び取着具Ｂの半割り管２から延出している延出管１２迄の実施の形態は、前記手段４の傘の保持装置と全く同様である。                                  
【００５８】
次に前述の延出管12の外側に嵌め込む回転管Cは、延出管12の外径にほぼ等しい内径の  しかも円滑に回転出来る内径の管であり、延出管12に嵌め込み、延出管12の抜け止め溝13の位置に相当する回転管Ｃの管周の少なくとも２ヶ所に雌ネジ穴14・15を設け、この雌ネジ穴14・15にネジ先端が延出管12の抜け止め溝13の形状に適合した先端形状の抜け止めネジ16・17を、図示しないが、座金・バネ座金を装着して、延出管12の抜け止め溝13に、回転管の回転に支障のない強さで捻じ込む。但し、回転管Ｃの抜け止め防止の方法は、例えば、延出管１２と回転管Ｃに、ネジ切を施し、このネジの接合により、抜け止めする等、他の方法でも良い。                                                          
【００５９】
次に、回転管Ｃの上面部には、被着部Ａ側から回転管Ｃの、調整ネジ２１の締緩による、回転管Ｃの回転と固定を妨げないように、スリット18を入れ、そのスリット18の両側に、回転管Ｃと一体成型し、または、溶接等で固定したクランプブラケット19・20に小孔を設け、この小孔を通して回転ハンドル22を固定した調整ネジ21を図示しないが、座金・バネ座金を装着してナット23に締め付ける。この回転管Ｃの調整ネジ21のナット23は、クランプブラケット20から離脱・回動しないように、クランプブラケット20に固着する。  
【００６０】
回転管Ｃの取着具Ｂの反対側端部に連続してヒンジＤの雄部(凸部)30を回転管Ｃと一体成型又は溶接などで連結し、ヒンジＤの雄部30には、ヒンジＤのシャフト兼、ヒンジ部の調整ネジの通るヒンジ穴31を設ける。                                              
【００６１】
次に、ヒンジＤの雌部(凹部)32・33、傘手元Ｈを支え持つ傘手元把持具Ｅの半割管34・35と、そのクランプブラケット36・37は、縦二分割に一体成型し、又は溶接などで接合されている。そしてヒンジの雌部32・33には、締付調整ネジの通し穴38・39を、又、傘手元把持具Ｅのクランプブラケット36・37には締付調整ネジの通し穴を設ける。            
【００６２】
次に、これ等の組み立てであるが、ヒンジ雌部32・33にヒンジ雄部30を挿入し、その間隙にバネ座金又は合成樹脂パッキン42・43を挟み込む。そして、ヒンジＤのシャフト兼締め付け調整ネジ44に、締付ハンドル45を固定して、ヒンジ雌部32、バネ座金又は合成樹脂パッキン42、ヒンジＤの雄部30、バネ座金又は合成樹脂パッキン43、ヒンジＤの雌部33の順で貫通し、ヒンジＤの雌部33に固着したナット46に締め付ける。                    
【００６３】
次に前述した傘手元把持具Ｅのクランプブラケット36・37の通し穴40・41に、締付調整ネジ47に締付ハンドル48を固定して、図示しないが座金・バネ座金を装着して、クランプブラケット37に固着したナット49に締め付ける。                                    
【００６４】
次に、手段６の傘の保持装置を実施するための最良の形態を説明する。手段６の傘の保持装置は、図１７の側面図、及び図１７のｓ−ｓ’線の平面図である図１８に示すように、前記手段１の傘の保持装置の構造の、取着具Ｂから水平方向に延出している、水平部材Ｗの端部に、水平部材Ｗの上方の全方向に回転、傾斜の出来る、ユニバーサルジョイントＶの固定部１１１を固定し、ユニバーサルジョイントＶの可動部１１２に  傘手元把持具Ｅを固定した構造であるが、取着具の実施の形態は前記手段１と同様であるが、延出している水平部材の断面形状は、円形ではなく、四角形が望ましいが、水平部材に円形管等を使用する場合は、ユニバーサルジョイント固定台１１０がを、ボルト、ナットで取り付けが出来るように、水平部材Ｗの、固定台１１０との接合部を、平面に加工すれば良い。
【００６５】
取着具Ｂから延出している延出部材Ｗの、上面端部に図１７、図１８に示すように、ユニバーサルジョイントＶの固定部１１１と一体成型し、又は固定部１１１と溶接等で固定した固定台１１０と、水平部材Ｗとを、貫通された小穴を通して、複数のボルト、ナット１１７で図示しないが座金、バネ座金を装着して締付ける。                          
【００６６】
ユニバーサルジョイントＶの固定部１１１は、図１７に示す様な略半球体であるが、上部の開口部から球直径の中心水平線迄の範囲で、複数のスリットを、成型時、又は切り込み加工等で入れておき、スリットの開口部の外側の上端部には、一体成型し、または、溶接等で固定したクランプブラケット１１５を備えて、このクランプブラケット１１５の小穴に、ボルトナット１１６に図示しないが、座金、バネ座金を装着して、ユニバーサルジョイントＶの固定部１１１の内側に、合成樹脂又は、硬質ゴム等を材料とした摩擦クッション１１２を装着して、ユニバーサルジョイントＶの可動部１１３を装着した後、適度の強さで締め付ける。                                                            
【００６７】
前述の、クランプブラケット１１５を固定する一箇所のボルトには、その頭部にハンドル１１８を固定して、その締緩により、可動部を可動し、又、任意の位置で固定する。  
【００６８】
次に、可動部１１３の上部に、鉛直方向に傘手元把持具Ｅを、可動部１１３と一体成型し、又は溶接等で、傘手元把持具Ｅの底部を連結固定する。                          
【００６９】
傘手元把持具Ｅには直線型の傘手元Ｈを、傘手元把持具Ｅの、上部の開口部から差し入れて利用するが、傘手元把持具Ｅの側面に、小径のネジ穴を設けて、ネジ頭部にハンドルを固定した固定ネジ１０９を締緩し、傘手元Ｈが抜け出ないように固定し、又、傘の高さを調節する。                                                                    
【００７０】
本発明の実施の形態において、各機能の回転、または固定の方法として、クランプブラケットに装着した、ハンドルを固定した調整ネジの締緩による方法を図示し、説明しているが、この方法に限定せず、他の方法、例えば、ブラケットを付けず、金属製や合成樹脂製等のバンドに締め付け具を装着し、その締緩に拠るものでもよい。                  
【００７１】
本発明の傘の保持装置は、自転車のハンドルポストや、ヒトの身体等に装着するので、構造上、傘の中棒の長さが、従来の、一般に使用されている傘の長さでは、長さが不足し、開かれた傘の、下ロクロがヒトの頭部に接触し、不具合である場合があるので、そのような場合は、あらかじめ傘中棒又は傘手元の長い傘を用意するか、又は、傘中棒の長さを延伸する延伸具を使用すればよいが、剛性や安全性、或いは美観を考慮すれば、被着体や、各人の身体にあった傘中棒の長さの傘を、使用することが望ましい。又、傘手元の形状も、Ｊ型でなく直線型(Ｉ型)が着脱に適しており、安定性も高く、外観もすっきりしているので、本説明は、傘手元の形状を直線型(I型)の傘を使用することを前提に説明しているが  従来の傘を使用したい場合は、傘中棒の延伸具の傘手元を直線型(Ｉ型)とし、本装置の傘手元把持具で把持し、延伸具上部先端に、従来、一般に使用されているクランプを固定して、従来の傘手元を把持し、固定する。                                    
【符号の説明】
【００７２】
Ｘ・・・自転車のハンドル                                                        
Ａ・・・被着部                                                                  
Ｂ・・・取着具                                                                  Ｃ・・・回転管                                                                  Ｄ・・・ヒンジ                                                                  Ｅ・・・傘手元把持具                                                            
Ｆ・・・傘中棒                                                                  Ｇ・・・ハンドル握部                                                            Ｈ・・・傘手元                                                                  
Ｓ・・・自転車のサドル                                                          １、２・・・取着部二分割管                                                      
３  ・・・取着部二分割管のリブ                                                  ４  ・・・ボルトナット                                                          ２５・・・下向き歯車歯                                                          ２６・・・上向き歯車歯                                                          ５、６・・・上向き歯車取付用二分割管                                            Ｗ・・・水平部材                                                                １２・・・延出管                                                                １３・・・抜け止め溝                                                            １４、１５・・・回転管雌ネジ穴                                                  
１６、１７・・・抜け止めネジ                                                    １８・・・回転管のスリット                                                      １９、２０・・・回転管のクランプブラケット                                      
２１・・・調整ネジ                                                              ２２・・・回転管の調整ネジハンドル                                              ２３・・・ナット                                                                ３０・・・ヒンジの雄部                                                          ３１・・・ヒンジ穴                                                              ３２、３３・・・ヒンジの雌部                                                    
３４、３５・・・傘手元把持具の二分割管                                          
３６、３７・・・傘手元把持具のクランプブラケット                                ４０、４１・・・ボルト通し穴                                                    
４２、４３・・・ヒンジバネ座金又は合成樹脂パッキン                              
４４・・・ヒンジのシャフト兼調整ネジ                                            ４５・・・ヒンジの調整ネジハンドル                                              ４６・・・ナット                                                                ４７・・・傘手元把持具の調整ネジ                                                ４８・・・調整ネジハンドル                                                      ４９・・・ナット                                                                ５０・・・スリット                                                              
１０１・・・身体固定バンド                                                      １０２・・・被着部固定基板                                                      １０３・・・取り付け台                                                          １０４・・・取り付け具                                                          
１０５・・・固定バンド着脱バックル                                              １０６・・・固定バンド長さ調整バックル                                          
１０７・・・被着部固定ボルト、ナット                                            
１０９・・・傘手元把持具の調整ハンドル                                          
１１０・・・ユニバーサルジョイント固定台                                        １１１・・・ユニバーサルジョイント固定部                                        
Ｖ・・・ユニバーサルジョイント                                                  １１２・・・クッション                                                          １１３・・・ユニバーサルジョイント可動部                                        １１５・・・固定部クランプブラケット                                            １１６・・・固定部ブラケットのボルト、ナット                                    
１１７・・・固定台のボルト、ナット                                              １１８・・・固定部調整ハンドル                                                                                    
【図１】
2013032138.tif 000003
【図２】
2013032138.tif 000004
【図３】
2013032138.tif 000005
【図４】
2013032138.tif 000006
【図５】
2013032138.tif 000007
【図６】
2013032138.tif 000008
【図７】
2013032138.tif 000009
【図８】
2013032138.tif 000010
【図９】
2013032138.tif 000011
【図１０】
2013032138.tif 000012
【図１１】
2013032138.tif 000013
【図１２】
2013032138.tif 000014
【図１３】
2013032138.tif 000015
【図１４】
2013032138.tif 000016
【図１５】
2013032138.tif 000017
【図１６】
2013032138.tif 000018
【図１７】
2013032138.tif 000019
【図１８】
2013032138.tif 000020
【図１９】
2013032138.tif 000021
【図２０】
2013032138.tif 000022
【図２１】
2013032138.tif 000023
【図２２】
2013032138.tif 000024
【図２３】
2013032138.tif 000025
【図２４】
2013032138.tif 000026
【図２５】
2013032138.tif 000027
【手続補正書】
【提出日】平成24年11月13日(2012.11.13)
【手続補正１】
【補正対象書類名】明細書
【補正対象項目名】００１９
【補正方法】変更
【補正の内容】
【００１９】
次に手段５は、図１１の側面図と部材分解図、図１２の上面図と部材分解図に例示するように、前記、取着具Bと前記傘手元把持具Eとの間に、前記延出管１２を軸として回転し、且つ、任意の位置に固定出来る前記回転管Ｃと、鉛直面内で回転し、且つ、任意の位置に固定出来る前記ヒンジDを組み合わせ、固定していることを特徴とする、手段１、手段３、手段４に記載の傘の保持装置とする。
【手続補正２】
【補正対象書類名】明細書
【補正対象項目名】００５７
【補正方法】変更
【補正の内容】
【００５７】
次に前記手段５の傘の保持装置を実施するための最良の形態を説明する。手段５の傘の保持装置は前記取着具Bと、傘手元把持具Eとの間に回転管CとヒンジDの、２方向の回転機能を組み合わせて設けるものであり、回転管CとヒンジDの配置順は何れでも良いが、本説明では、図１１の側面図と部材分解図、図１２の上面図と部材分解図に例示するように、手段３の傘の保持装置の機構の前記ヒンジを、先に説明した手段４の傘の保持装置の機構の、前記、回転管Ｃと、前記、傘手元把持具Ｅとの間に固定した構造の例を説明する。
従って手段５の、取着具Ｂ及び取着具Ｂの半割り管２から延出している延出管１２迄の実施の形態は、前記手段４の傘の保持装置と全く同様である。
【手続補正３】
【補正対象書類名】特許請求の範囲
【補正対象項目名】請求項５
【補正方法】変更
【補正の内容】
【請求項５】
前記取着具と前記傘手元把持具との間に、前記延出管を軸として回転し、且つ、任意の位置に固定出来る前記回転管と、鉛面内で回転し、且つ、任意の位置に固定出来る前記ヒンジを組み合わせて固定していることを特徴とする請求項１、請求項３、請求項４のいずれかに記載の傘の保持装置。
【手続補正４】
【補正対象書類名】図面
【補正対象項目名】図１２
【補正方法】変更
【補正の内容】
【図１２】
2013032138.tif 000028